(57)【特許請求の範囲】
【請求項１】
導電線上にガス遮断ユニットと限流ユニットとを電気回路上で直列に配置し閉極指令または開極指令に基づいて導線にながれる電流を遮断するガス遮断器において、
前記ガス遮断ユニットは、
前記閉極指令または開極指令に基づいて可動接触子部を固定接触子部に対して離接する駆動機構を備え、
絶縁ガスを充填した容器内に固定接触子部と可動接触子部とを同軸上に向かい合わせて配置したものであり、
前記ガス遮断ユニットの電流遮断の過程で発生するアークに対して、前記ガス遮断ユニットの可動接触子部の駆動によりに絶縁性ガスの吹き付け、
前記限流ユニットは、
前記閉極指令または開極指令に基づいて可動接触子部を固定接触子部に対して離接する駆動機構を備え、
水を充填した容器内に固定接触子部と可動接触子部とを同軸上に向かい合わせて配置し、
前記水を充填した容器は、
前記容器の内部の水圧が一定値以上になると水を放出し容器内部の水圧を下げる放圧装置と、前記容器の内部に水を供給する水供給装置と、
を備えることを特徴とするガス遮断器。
【請求項２】
前記限流ユニットの固定接触子部は、固定アーク接触子及び固定通電接触子とを備え、
この固定アーク接触子のみを水を充填した容器内に配置することを特徴とする請求項１に記載のガス遮断器。
【請求項３】
前記限流ユニットの固定接触子部は、固定アーク接触子及び固定通電接触子とを備え、
この固定アーク接触子及び固定通電接触子とを水を充填した容器内に配置することを特徴とする請求項１に記載のガス遮断器。
【請求項４】
前記ガス遮断ユニットの可動接触子部と前記限流ユニットの可動接触子部とをジョイント部を介して接続され、
前記ガス遮断ユニットの可動接触子部と前記限流ユニットの可動接触子部とを同時に駆動する駆動機構を有することを特徴とする請求項１〜３のいずれか１項に記載のガス遮断器。
【発明の詳細な説明】
【背景技術】
【０００１】
本発明の実施形態は、パッファ形のガス遮断器に関する。
【０００２】
遮断器は、線路の地絡故障や線間短絡故障等の際、送電系統や配電系統を保護するために高電流を遮断する。遮断器のひとつとして、構造が簡易にして信頼性が高く、且つ遮断能力に優れた絶縁ガスを用いたガス遮断器が広く採用されている。
【０００３】
その中でも、パッファ形ガス遮断器は高い需要を得ている。パッファ形ガス遮断器は、消弧性ガスを圧縮して絶縁ノズルに導き、電極間に発生したアーク放電に吹き付けて消弧する。消弧性ガスの種類としては、消弧性能および電気絶縁性能に優れたＳＦ６ガスが主に使用される。
【０００４】
パッファ形ガス遮断器では、絶縁ガスとしてＳＦ６ガスを使用し、そのＳＦ６ガスの持つ消弧能力および絶縁能力を巧みに利用してアークを確実に消弧させている。しかしながら、
このＳＦ６ガスは、二酸化炭素ガスの２４，９００倍の地球温暖化効果を有するため、地球温暖化の観点から問題視されている。
【０００５】
最近、世界的レベルで地球環境保護への意識が高まる中、ガス遮断器に使用するＳＦ６ガスのいわゆる地球温暖化係数ＧＷＰ（Ｇｌｏｂａｌ
Ｗａｒｍｉｎｇ Ｐｏｔｅｎｔｉａｌｓ）の高い点が注目されている。例えば、地球温暖化防止に関する国際京都会議（ＣＯＰ３）で、地球温室の要因になるとして規制対象に指定された。
【０００６】
このように、地球温暖化係数が著しく高いＳＦ６ガスであっても、アークの消弧性能等を考えると、現在のところＳＦ６ガスに代る絶縁ガスが見当らない。そのため、ガス遮断器では、ＳＦ６ガスの排出量を極力小さくしたり、機器自体をコンパクトにしてガス使用量そのものを小さくする等の対策が採られている。
【０００７】
また、将来的にＳＦ６ガスの使用自体が制限される可能性があり、ＣＯ２ガスや、ＣＦ３Ｉガスを絶縁ガスとする代替ガス機器の基礎研究が行われている。（例えば、特許文献１，２参照）
【先行技術文献】
【特許文献】
【０００８】
【特許文献１】特開2006-084813号公報
【特許文献２】特開2006-265440号公報
【発明の概要】
【発明が解決しようとする課題】
【０００９】
しかしながら、ＣＯ２ガスや、ＣＦ３Ｉガスを絶縁ガスは、ＳＦ６ガスより消弧性能が劣る。そのため、ＣＯ２や、ＣＦ３Ｉガスを絶縁ガスとして使用するガス遮断器は、ＳＦ６ガスを使用するガス遮断器より大型化する傾向がある。
【００１０】
また、現在商用運転されている５５０ｋＶ級系統での運用だけでなく、近年では１０００ｋＶ級系統でのガス遮断器の運用も計画されており、より一層の高電圧化と大容量化したガス遮断器の需要もある。
【００１１】
本発明の実施形態は以上の問題点を解決するために提案されたものであり、ＳＦ６ガスよりも絶縁性能及び消弧性能の低いガスを利用したガス遮断器であっても、優れた電流遮断性能を発揮することができ、機器のコンパクト化に寄与することが可能であるガス遮断器を提供することを目的としている。
【課題を解決するための手段】
【００１２】
上記の目的を達成するために、実施形態のガス遮断器は、導電線上にガス遮断ユニットと限流ユニットとを電気回路上で直列に配置し、閉極指令または開極指令に基づいて導線にながれる電流を遮断する。
【００１３】
実施形態のガス遮断器は、次の様な特徴を有する。
（１）前記ガス遮断ユニットは、前記閉極指令または開極指令に基づいて可動接触子部を固定接触子部に対して離接する駆動機構を備える。
（２）前記ガス遮断ユニットは、絶縁ガスを充填した容器内に固定接触子部と可動接触子部とを同軸上に向かい合わせて配置する。
（３）前記ガス遮断ユニットは、前記ガス遮断ユニットの電流遮断の過程で発生するアークに対して、前記ガス遮断ユニットの可動接触子部の駆動によりに絶縁性ガスの吹き付ける。
（４）前記限流ユニットは、前記閉極指令または開極指令に基づいて可動接触子部を固定接触子部に対して離接する駆動機構を備える。
（５）前記限流ユニットは、水を充填した容器内に固定接触子部と可動接触子部とを同軸上に向かい合わせて配置する。
（６）前記水を充填した容器は、前記容器の内部の水圧が一定値以上になると水を放出し容器内部の水圧を下げる放圧装置と、前記容器の内部に水を供給する水供給装置と、を備える。
（７）前記限流ユニットは、前記限流ユニットの電流遮断の過程で発生するアークに対して、前記容器内の水により限流作用をさせる。
【図面の簡単な説明】
【００１４】
【図１】第１の実施形態のガス遮断器を示す断面図。
【図２】第１の実施形態におけるガス遮断ユニットを示す断面図。
【図３】第２の実施形態のガス遮断器を示す断面図。
【図４】第３の実施形態におけるガス限流ユニットを示す断面図。
【図５】第４の実施形態における限流ユニットを示す断面図。
【発明を実施するための形態】
【００１５】
以下、本発明の実施形態のガス遮断器について、図１〜５を参照して具体的に説明する。
【００１６】
１．第１の実施形態
第１の実施形態に係るガス遮断器を図１を参照しつつ、詳細に説明する。図１は第１の実施の形態に係るガス遮断器の構成図である。第１の実施形態の構成上の特徴は、タンク１内にガス遮断ユニットＡと限流ユニットＢとが配置された構成である。これらのガス遮断ユニットＡと限流ユニットＢとは導電性の導線２などにより電気回路上で直列になるように接続される。
【００１７】
［構成］
図１に記載のタンク１は、内部が密閉可能なタンクであり、内部には絶縁ガスが封入される。タンク１の内部には、タンク内部のガスを領域ごとに区分する絶縁スペーサ３が設けられる。
【００１８】
絶縁スペーサ３の形状は、タンク１の内部をそれぞれの領域ごとに密閉可能であれば良い。絶縁スペーサ３には、気密性を保持しながら導線２が通るスペースが設けられる。この絶縁スペーサ３は絶縁性を有するため、導線２に絶縁処理が施されていなくても、導線２とタンク１との間を絶縁する。
【００１９】
タンク１内の絶縁スペーサ３により区分された領域の１つは、ガス遮断ユニットＡを設置する領域となる。この領域には、窒素、酸素、乾燥空気、二酸化炭素のいずれか単体またはいずれかを含む混合ガスが充填される。また、ガス遮断ユニットが配置された領域とは別の領域には、限流ユニットＢが設置される。以下では、ガス遮断ユニットＡ及び限流ユニットＢについて詳述する。
【００２０】
［ガス遮断ユニットＡの構成］
図２は、本実施例におけるガス遮断ユニットＡの構成を詳細に示す図である。図２（Ａ）は、ガス遮断ユニットＡの閉極状態を示し、図２（Ｂ）は、ガス遮断ユニットＡの開極状態を示す図である。
【００２１】
図２に示すように、ガス遮断ユニットＡにおいては、固定接触子部４と可動接触子部５とが対向するように触子部４，５の中心が同一線上に設けられる。
【００２２】
固定接触子部４は、タンク１の内壁とは所定の間隔でタンク１の中央部分に設置される。この固定接触子部４には、固定アーク接触子部６と固定通電接触子部７とから構成される。固定アーク接触子部６は、タンク１の内壁とは所定の間隔でタンク１の中央部に固定される。この固定アーク接触子部６の周囲を包囲するように、円筒上の固定通電接触子部７が設けられる。
【００２３】
一方、可動接触子部５は、タンク１の内壁とは所定の間隔でタンク１の中央部分に設置される。可動接触子部５には、可動シリンダ１０と可動アーク接触子部８と操作ロッド１１とノズル１２と可動通電接触子９とが設けられる。
【００２４】
可動シリンダ１０、可動通電接触子部９、ノズル１２及び可動アーク接触子８の形状は、中空の円筒形状であり、円筒の底面の中心は、それぞれ同一線上に設けられる。この円筒の底面の中心は、固定接触子部４の中心とも同一線上である。可動シリンダ１０の固定接触子部４側の端部には、先端を指状に形成された可動通電接触子部９が設けられる。この可動通電接触子部９と内接するようにノズル１２が設けられる。すなわち、可動通電接触子９とノズル１２は、互いに側面で接触して設置される。可動シリンダ１０の内部には、可動アーク接触子部８が配置される。この可動アーク接触子部８は、ノズル１２と可動通電接触子９とは所定の間隔を持って設置されている。
【００２５】
可動シリンダ１０は、台座Ｄの内部にある駆動機構（図示せず）の動力を伝達する操作ロッド１１に接続される。操作ロッド１１は、駆動機構の動力を伝達することで、可動接触子部５を往復動（図２では左右）させる。可動接触子部５の往復運動の方向は、固定接触子部４と離接する方向である。
【００２６】
可動シリンダ１０と可動アーク接触子部８との間には、可動ピストン１３が設けられている。可動ピストン１３は、可動シリンダ１０の内壁に対して擦動自在に挿入されている。この可動アーク接触子部８、可動ピストン１３及び可動シリンダ１０の内壁面で囲まれた空間が、消弧ガスのガス圧を上昇させるパッファ室１４として機能する。また、このパッファ室１４は、絶縁ノズル１２と可動アーク接触子８とに挟まれた空間を介して、可動シリンダ１０の外部と連通する。
【００２７】
［限流ユニットＢの構成］
図１に基づいて限流ユニットＢの構成を説明する。図１に示すように、限流ユニットＢは、容器１５内部に可動接触子部１６と固定接触子部１７とを配置する構成である。可動接触子部１６と固定接触子部１７の中心が同一線上に設けられる。この容器１５は、絶縁性を有する容器であり、内部に水２０を充填することができる形状である。この容器１５としては、繊維強化プラスチックを使用することができる。
【００２８】
容器１５には、容器の外部から内部へ連通する導線２が設けられ、この導線２は可動接触子部５と固定接触子部４とにそれぞれ接続している。また、操作ロッド１８の動力が容器１５内部の可動接触子部１６に対して伝達するように、接続されている。
【００２９】
可動接触子部１６は、容器１５の内壁とは所定の間隔で容器１５の中央部分に設置される。この可動接触子部１６は、可動通電接触子部１９および可動アーク接触子部２０から構成される。可動通電接触子部１９及び可動アーク接触子部２０は中空の円筒形状であり、可動接触子部１６と固定接触子部１７との底面の中心は、それぞれ同一線上に設けられる。
可動アーク接触子部２０は、円筒の端部を中心方向に屈曲させた形状である。この屈曲させた先端部には孔が形成され、この孔の直径は、固定アーク接触子部６の外径と同じ大きさである。この可動アーク接触子部２０の円筒の端部を中心方向に屈曲部分の周りには、所定の間隔を持って可動通電接触子部２１が設けられる。
【００３０】
可動接触子部１６は、駆動機構（図示せず）の動力を伝達する操作ロッド１８に接続されている。操作ロッド１８は、駆動機構の動力を伝達することで、可動接触子部１６を往復動（図１では左右）させる。可動接触子部１６の往復運動の方向は、固定接触子部１７と離接する方向である。
【００３１】
固定接触子部１７は、容器１５の内壁とは所定の間隔で容器１５の中央部分に設置される。断面方向の中央部分に設置される。この固定接触子部１７には、固定アーク接触子部２２と固定通電接触子部２１とが設けられる。固定アーク接触子部２２は、タンク１２の中央部に固定される。この固定アーク接触子部２２は円柱形状であり、先端部分は丸みを帯びた形状である。この固定アーク接触子部２２の端部の周りには所定の間隔を持って、固定アーク接触子部２２と同心円の円筒形状の固定通電接触子部２１が設けられる。
【００３２】
［作用］
以上のような構成を有するガス遮断器では、次のようにして電流遮断動作が実施される。まず、ガス遮断器の開極時には、ガス絶縁ユニットＡ及び限流ユニットＢの操作機構に開極指令が伝達される。その指令によりそれぞれの操作機構では、操作ロッド１１，１８に駆動力を伝達する。操作ロッド１１に伝達された駆動力は、操作ロッド１１を介して可動接触子部５に伝達される。操作ロッド１８に伝達された駆動力は、操作ロッド１８を介して可動接触子部１６に伝達される。これにより、可動接触子部５は固定接触子部４から、可動接触子部１６は固定接触子部１７から離れる方向に移動を開始することで、投入状態から開極動作を始める。
【００３３】
遮断過程の途中の状態では、ガス遮断ユニットＡの可動接触子部５−固定接触子部４間及び限流ユニットＢの可動接触子部１６−固定接触子部１７間でアークが発生する。アーク放電は非常に高温であるため、アーク放電から高温ガスが発生すると共に、アーク放電によって加熱された周りのガスや水も高温となる。
【００３４】
［ガス遮断ユニットＡでの消弧作用］
ガス遮断ユニットＡでは、次のようにして電流遮断動作を実施する。遮断過程の途中の状態では、固定アーク接触子４と可動アーク接触子５との間にアーク放電が発生する。アーク放電は非常に高温であるため、アーク放電から高温ガスが発生すると共に、アーク放電によって加熱された周りの消弧ガスも高温になる。
【００３５】
高温ガスは、ノズル１２と可動アーク接触子８とに挟まれた空間からパッファ室１４に流入する。その結果、パッファ室１４のガス圧力は、高温ガスによって高められる。また、可動接触子部５の移動が進むにつれて、可動ピストン１３は可動シリンダ１０に対して固定接触子部４の方向に相対移動するため、パッファ室１４の容積は縮小される。これにより、パッファ室１４内のガスは圧縮され、パッファ室１４内のガス圧はさらに高められる。
【００３６】
遮断過程が進むにつれて、可動接触子部５の移動がすすみ、それに伴い可動ピストン１３は、可動シリンダ１０に対して固定側接点部側の方向に相対移動する。これにより、パッファ室１４の容積は縮小されるため、パッファ室内１４のガスが圧縮される。遮断過程の後半では、高圧力となったパッファ室１４内のガスが、アーク放電に対して吹き付けられる。これにより、アーク放電は、消弧に至り、電流遮断が完了する。
【００３７】
［限流ユニットＢでの消弧作用］
一方、限流ユニットＢでは、可動接触子部１６−固定接触子部１７間で発生したアークに対して次のような作用が働く。可動接触子部１６及び固定接触子部１７は、水を内包した容器１５内に設置されているので、アークは、可動接触子部１６及び固定接触子部１７間の水中に発生することになる。水中でアークが発生した場合、接点間の圧力が急激に上昇するため、限流作用が働き、発生したアークは急激に冷却される。また、水から発生する水素ガスが非常に高い熱度伝率を示すため、水素ガスによるアークの冷却作用も働く。
【００３８】
従来の水を利用した遮断器は、接触部間に水を充填することにより、アークの発生を抑制していたが、接触部間の絶縁性能を確保するために純水を用いる必要があり、実用性には課題があった。本実施形態では、限流ユニットＢにおいて、アークの消弧を行うことに重点をおいており、接点間の絶縁には重点をおいていない。また、タンク１内の絶縁物である容器内１５に水を収めている。絶縁物容器自体は、金属容器から絶縁されているため、各接点部と金属容器間の絶縁は容易に確保することができる。
【００３９】
一方、容器１５内には水を充填しているので、可動接触子部１６と固定接触子部１７との間の絶縁を確保することは困難である。しかしながら、電気回路的に直列に接続しているガス遮断ユニットＡ側の開極動作により絶縁を確保することにより、ガス遮断器全端での絶縁を確保することができる。また、限流ユニットＢとガス遮断ユニットＡとで同時に開極動作を行うことにより、開極時の電圧を分担することできるので遮断性能を確保することができる。
【００４０】
［効果］
以上のようなガス遮断器によれば、ガス遮断ユニットと限流ユニットＢとで同時に開極動作を行うことにより、ガス遮断器全体で優れた絶縁性能と遮断性能とを実現する。これにより、絶縁ガスとしてＳＦ６ガスより消弧性能が劣るガスを利用したとしても、ガス遮断器を大型にしなくても絶縁性能及び遮断性能を確保することができる。また、タンク１内は絶縁スペーサ３で区切られているため、限流ユニットＢ側の領域とガス遮断ユニットＡ側の領域とで、ガスの種類を変えることもできる。具体的には、水を充填した絶縁容器を収める領域では、ガス自体に消弧性能は必要とされていないため、絶縁性能のみが期待できる乾燥空気を用いることもできる。
【００４１】
２．第２の実施形態
第２の実施形態に係るガス遮断器を図３を参照しつつ、詳細に説明する。図３は第２の実施の形態に係るガス遮断器の構成図である。第２の実施形態の構成上の特徴は、タンク１内を２つの領域に区切ることなくガス遮断ユニットＡと限流ユニットＢとを配置する。
【００４２】
［構成］
図３に示すように、本実施形態のガス遮断器おいては、消弧ガスが充填されたタンク１内にガス遮断器ユニットＡと限流ユニットＢとが配置される。ガス遮断器ユニットＡと限流ユニットＢとは、タンク１の内壁とは所定の間隔でタンク１の中央部分に設置される。ガス遮断器ユニットＡと限流ユニットＢとの間は、ジョイント部Ｃにより接続される。
【００４３】
ガス絶縁ユニットＡと限流ユニットＢの可動アーク接触子部８，２０には、操作ロッド１８ａが接続される。この操作ロッド１８ａは、水平方向（図３では左右）に移動する操作ロッドである。操作ロッド１８ａは、垂直方向（図３では上下）に移動する操作ロッド１８ｂと接続される。
【００４４】
操作ロッド１８ａと操作ロッド１８ｂとの接続部分は、垂直方向に移動する操作ロッド１８ｂの力を水平方向に移動する操作ロッド１８ａに伝達する構成である。具体的には、ガス遮断ユニットＡでは、操作ロッド１８ｂが上方向または下方向に移動することにより、操作ロッド１８ａが接続する可動接触子部５が固定接触子部４に対して離接する方向に移動する。また限流ユニットＢでは、操作ロッド１８ａにより接続する可動接触子部５と固定接触子部４とが離接する方向に移動する。
【００４５】
限流ユニットＢでは、操作ロッド１８ｂが上方向または下方向に移動することにより、操作ロッド１８ａが接続する可動接触子部１６が固定接触子部１７に対して離接する方向に移動する。また限流ユニットＢでは、操作ロッド１８ａにより接続する可動接触子部１６と固定接触子部１７とが離接する方向に移動する。このとき、操作ロッド１８ａの移動幅は、ガス遮断器ユニットＡ側と限流ユニットＢ側とで同じにしてもよい。
【００４６】
［作用］
以上のような構成を有する本実施形態のガス遮断器では、次のようにして電流遮断動作が実施される。
【００４７】
まず、開極時には駆動機構に対して所定の指令系統から開極指令が伝達される。この開極指令に基づき駆動機構は、操作ロッド１８ｂに駆動力を伝達する。操作ロッド１８ｂに伝達された駆動力は、操作ロッド１８ｂと操作ロッド１８ａとの接続部分を介して、操作ロッド１８ａに伝達される。操作ロッド１８ａに伝達された駆動力は、操作ロッド１８ａ，ｂの両端に接続された可動接触子部６及び可動接触子部１６に伝達される。これにより、可動接触子部５は固定接触子部４から、可動接触子部１６は固定接触子部１７から離れる方向に同じタイミングで移動を開始する。以上の動作により、ガス遮断器ユニットＡと限流ユニットＢにおいて、同時に投入状態から開極動作を始める。
【００４８】
遮断過程の途中の状態では、ガス遮断ユニットＡの可動接触子部５−固定接触子部４間及び限流ユニットＢの可動接触子部１６−固定接触子部１７間でアークが発生する。アーク放電は非常に高温であるため、アーク放電から高温ガスが発生すると共に、アーク放電によって加熱された周りのガスや水も高温となる。可動接触子部５−固定接触子部４間及び可動接触子部１６−固定接触子部１７間におけるアークの消弧については、第１の実施形態での消弧作用と同様である。
【００４９】
［効果］
以上のようなガス遮断器によれば、第１の実施形態の効果に加えて、可動接触子部５と可動接触子部１６とを操作ロッド１８ａ，１８ｂを用いてリンクさせ、１つの駆動部で開極動作を行うことができる。これにより、ガス遮断ユニットＡ及び限流ユニットＢでの開極動作を同時に行うことが容易となる。また、２つの接点部を同一の容器内に収めているので、機器のコンパクト化に貢献することができる。
【００５０】
３．第３の実施形態
第３の実施形態に係るガス遮断器を図４を参照しつつ、詳細に説明する。図４は第３の実施の形態に係るガス遮断器の限流ユニットＢの構成図である。第３の実施形態の構成上の特徴は、第１の実施形態の限流ユニットＢの構成を変更し、容器１５内に可動アーク接触子部２０と固定アーク接触子部２２とを配置したことである。
【００５１】
［構成］
図４に示すように、本実施形態のガス遮断器の限流ユニットＢは、水を充填した容器１５内部に可動アーク接触子部２０と固定アーク接触子部２２とが配置されている。容器１５の形状は、固定接触子部１７側では、固定アーク接触子部２２を内部に収納できる大きさであると共に、固定通電接触子部２１の内径よりも小さいものとする。また、可動接触子部１６側では、可動アーク接触子部２０を内部に収納できる大きさであると共に、可動通電接触子部１９の内径よりも小さいものとする。
【００５２】
［作用］
以上のような構成を有する本実施形態のガス遮断器では、次のようにして電流遮断動作を実施される。ガス遮断ユニットでの遮断動作は、前記第１の実施形態と同様の動作なので省略する。
【００５３】
限流ユニットＢにおいて、可動アーク接触子部２０及び固定アーク接触子部２２は、電流が流れやすい水を充填した容器に収められている。一方、可動通電接触子部１９及び固定通電接触子部２１は、絶縁ガス中に配置されている。すなわち、可動通電接触子部１９及び固定通電接触子部２１との間は、可動アーク接触子部２０及び固定アーク接触子部２２との間に比べて相対的に絶縁性が高くなっている。従って、限流ユニットＢにおける電流遮断動作時には、水を充填した絶縁容器内に収められている固定アーク接触子部と可動アーク接触子間で確実にアークが発生しやすくなる。
【００５４】
この可動アーク接触子部２０及び固定アーク接触子部２２間の水中に発生したアークに対しては限流作用が働き、アークは急激に冷却される。また、水から発生する水素ガスが非常に高い熱度伝率を示すため、水素ガスによるアークの冷却作用も働く。
【００５５】
一方、閉極状態では、可動通電接触子部１９と固定通電接触子部２１間に主に通電電流が流れることになる。すなわち、水を充填した容器１５内部の可動アーク接触子部２０及び固定アーク接触子部２２には電流が流れにくくなる。
【００５６】
［効果］
以上のようなガス遮断器によれば、第１の実施形態の効果に加えて、可動通電接触子部１９及び固定通電接触子部２１を水中に配置しないことで、可動通電接触子部１９及び固定通電接触子部２１を水中に設置した場合に起こる水と触子部表面との反応を抑制することができ、接触抵抗の変化、通電ロスを防ぐことができる。
【００５７】
４．第４の実施形態
第５の実施形態に係るガス遮断器を図５を参照しつつ、詳細に説明する。図５は第４の実施の形態に係るガス遮断器の限流ユニットの構成図である。第４の実施形態の構成上の特徴は、第１の実施形態の限流ユニットの容器１５に、容器内の水圧を調整する放圧装置２３及び容器内に水を供給する水供給装置２４を加えたものである。
【００５８】
［構成］
図４に示すように、本実施形態のガス遮断器の限流ユニットＢには、容器１５内部に可動接触子部１６と固定接触子部１７とを配置する。この容器１５は、絶縁性を有する容器であり、内部に水を充填することができる形状である。この容器１５は、放圧装置２３及び水供給装置２４を有する。放圧装置２３は、容器１５の内部と外部を連通する管に設けられた弁を含み、容器１５内部の水圧が一定値以上になると容器１５内部の水圧により弁が押し上げられ水を容器外部に放出するものである。水供給装置２４は、容器１５の内部と外部を連通する管に接続し、容器１５に対して水を供給する装置である。この水供給装置２４が接続する管に弁を設け、この弁により容器１５内部の水が水供給装置２４側に逆流することを防止する構成としてもよい。
【００５９】
［作用］
以上のような構成を有する本実施形態のガス遮断器では、次のようにして電流遮断動作を実施する。ガス遮断ユニットＡでの遮断動作は、前記第１の実施形態と同様の動作なので省略する。
【００６０】
限流ユニットＢでの電流遮断動作時には、水を充填した容器１５内に収められている固定アーク接触子部２２と可動アーク接触子２０間で確実にアークが発生する。水中でアークが発生した場合、固定アーク接触子部２２と可動アーク接触子２０間の圧力が急激に上昇する。また、高温のアークにより、容器内の水温が上昇する。これらの要因により容器１５内の水圧は急激に上昇する。容器１５内の水圧が上昇し一定値以上になると、容器１５内部の水圧により放圧装置２３に設けられた弁が押し上げられ、容器１５内部の水は外部に放出される。これにより、容器内部の水圧の上昇を抑えることができる。
【００６１】
容器１５内部の水が外部に放出されたことや他の要因により、容器１５内の水の量が減少した場合は、水供給装置から容器１５内部に水を新たに供給する。これにより、容器内部に水を再充填することができる。
【００６２】
［効果］
以上のようなガス遮断器によれば、第１の実施形態の効果に加えて、放圧装置２３により、限流ユニットＢでの電流遮断動作時のアークの発生による水圧の上昇を抑制することができる。これにより、容器１５内部の水を放出しない場合に比べて、容器１５の機械的強度を抑えることができる。また、容器１５内部の水を放圧することにより内部の水の量が減少した場合に、水供給装置２４により、その機能を失わないために水を新たに供給することができるため、長期の信頼性を確保することができる。
【００６３】
５．他の実施形態
なお、本明細書においては、本発明に係る複数の実施形態を説明したが、これらの実施形態は例として提示したものであって、発明の範囲を限定することを意図していない。具体的には、第４の実施形態において容器１５に設けた放圧装置及び水供給装置を第２，３の実施形態の容器１５に設けたものも本発明に包含される。このような第２，３の実施形態では、第４の実施形態の作用効果を併せ持つことができる。
【００６４】
以上のような実施形態は、その他の様々な形態で実施されることが可能であり、発明の範囲を逸脱しない範囲で、種々の省略や置き換え、変更を行うことができる。これらの実施形態やその変形は、発明の範囲や要旨に含まれると同様に、特許請求の範囲に記載された発明とその均等の範囲に含まれるものである。
【符号の説明】
【００６５】
Ａ  …ガス遮断ユニット
Ｂ  …限流ユニット
Ｃ  …ジョイント部
Ｄ  …台座
１  …タンク
２  …導線
３  …絶縁スペーサ
４  …固定接触子部
５  …可動接触子部
６  …固定アーク接触子部
７  …固定通電接触子部
８  …可動アーク接触子
９  …可動通電接触子部
10  …可動シリンダ
11  …操作ロッド
12  …ノズル
13  …可動ピストン
14  …バッファ室
15  …容器
16  …可動接触子部
17  …固定接触子部
18,18a,18b  …操作ロッド
19  …可動通電接触子部
20  …可動アーク接触子部
21  …固定通電接触子部
22  …固定アーク接触子部
23  …放圧装置
24  …水供給装置
【図１】
0005908269.tif 000002
【図２】
0005908269.tif 000003
【図３】
0005908269.tif 000004
【図４】
0005908269.tif 000005
【図５】
0005908269.tif 000006